(57)【特許請求の範囲】
【請求項１】
排尿を受けるボウル面を形成するボウル部と、
このボウル部の下方に形成され、上記ボウル部の底部に設けられた排水口よりも下流側に封水を形成する排水トラップ部と、
この排水トラップ部の後方側に形成され、上記ボウル面を洗浄して上記排水トラップ部から排出された洗浄水を小便器外部の排出部側へ排出させる排水室部と、を有し、
上記排水室部は、その一部が上記排水トラップ部と上記小便器外部の排出部とを接続する通路を形成する接続通路部と、上記ボウル部内の下方領域と上記排水室部内とを区画するボウル側壁部と、を備え、このボウル側壁部には、上記ボウル部内の下方領域と上記排水室部内とを連通し且つ着脱可能な蓋により閉塞される掃除口が形成され、
上記排水口、上記掃除口及びこの掃除口に取り付けられた上記蓋を覆うように上記ボウル部の下方領域に配置される目皿を有する小便器であって、
上記目皿は、前後方向に延びる頂上部と、上記頂上部から左方向下方に延びる第一洗浄面部と、上記頂上部から右方向下方に延びる第二洗浄面部と、を備え、
上記目皿の上記第一洗浄面部及び上記第二洗浄面部は、下方に向けて突出する突出部を夫々備え、上記第一洗浄面部の上記突出部と上記第二洗浄面部の上記突出部との間に上記蓋の上部が位置し、且つ、前後方向の断面において上記各突出部と上記蓋の上部とが少なくとも一部重なる小便器。
【請求項２】
上記目皿の上記第一洗浄面部及び上記第二洗浄面部は、左右方向の断面において下方に向けて凹むアール形状である請求項１に記載の小便器。
【発明の詳細な説明】
【技術分野】
【０００１】
本発明は、排尿を受けて排出する小便器に関する。
【背景技術】
【０００２】
通常、排尿を受けて排出する小便器には、洗浄水を供給してボウル面を洗浄する吐水部が設けられており、吐水部からボウル面に洗浄水を供給してボウル面を洗浄するようになっている。ここで、小便器のボウル面を洗浄した洗浄水は、ボウル面の下方に設けられた排水口から流出し、排水口の下流側に設けられた排水トラップの溜水部を経て、これより下流側の接続管路を流れた後、小便器の外部の排水管路へと流れ込み、外部に排出される。また、排水トラップとして、小便器の下方に設けられて排水口から流出した洗浄水を下方へと導く下降管路と、これより下流側に設けられて洗浄水を上方へと導く上昇管路とを備えたほぼＵ字形状の配管からなるものが知られている。小便器の外部の排水管路は、接続管路によって排水トラップと接続されており、排水トラップの上昇管路を経た洗浄水は、接続管路を介して排水管路に流れ込むようになっている。
【０００３】
このような小便器においては、使用する都度、ボウル面の洗浄が行われ、洗浄水がボウル面、排水トラップ、接続管路、及び排水管路を順次に流れ、小便器の清掃が行われるものの、小便器からの洗浄水の排水経路の構成上、従来は排水トラップ、接続管路、又は接続管路の下流側端部と小便器の外部の排水管路との接続部等に尿石が付着し、さらに堆積し易いという問題が生じていた。
【０００４】
このうち、排水トラップに付着した尿石については、掃除用のブラシを排水トラップに挿入して清掃する通常の清掃を行うことで、ある程度除去することができる。しかしながら、排水トラップの後方側（下流側）に接続される接続管路や、この接続管路と小便器の外部の排水管路との接続部等に付着した尿石については、これらの管路にブラシ等の掃除具を挿入して清掃するような通常の清掃が困難である部分でもあるため、付着した尿石が次第に成長して堆積量が増大し、最終的には、接続管路や排水管路を閉塞してしまう可能性があるという問題がある。
【０００５】
このような尿石の付着及び堆積する箇所は、上述したように掃除具を挿入して清掃する通常の清掃が困難な箇所であり、このような尿石を取り除くためには一旦小便器を小便器の外部の排水管路から取り外した上で、尿石を薬剤で溶解させたり、或いは高圧洗浄で除去処理したりすることが必要となる。しかしながら、このような除去処理は、大掛かりな処理作業となり、簡単には行うことができないという問題もある。
【０００６】
そこで、このような問題を解決するために、尿石の付着や堆積を防ぐための様々な手段が提案されている。
例えば、特許文献１に記載されている従来の小便器では、排水トラップの下流側に小便器外部の排水配管の上流側が接続される排出路が設けられ、この排出路とボウル部の外部とを区画する壁部に洗浄水の供給口が設けられ、この供給口にボウル部の背面側の外部から供給管が接続されている。そして、この供給管内の洗浄水が、小便器のボウル面及び排水トラップを経由することなく、供給口から排出路内に直接的に供給されることにより、排水トラップの下流側の排出路内が洗浄されるようになっている。
特許文献２に記載されている従来の小便器では、排水トラップの流出部の上方に位置するボウル部の後方底面に、洗浄水送水用高圧ホースが挿入可能な貫通穴が形成されている。洗浄水送水用高圧ホースを貫通穴に挿入し、洗浄水送水用高圧ホースの先端から高圧の洗浄水を噴射させることにより、小便器を取り外すことなく、小便器の後方側（下流側）の外部に接続される排水管を洗浄することができるようになっている。
さらに、特許文献３に記載されている従来の小便器では、排水トラップの流出部の上方に位置するボウル部の後方底面に、清掃用具が挿入可能な開口が形成され、この開口には短筒上のソケットが固着されており、このソケットに閉塞具が着脱可能に取り付けられている。この開口から清掃用具を挿入することができ、排水トラップの下流側の流出部付近を清掃することができるようになっている。また、排水トラップ流入部及び開口を覆う目皿部を備えている。
【先行技術文献】
【特許文献】
【０００７】
【特許文献１】特開２００５−１８００６４号公報
【特許文献２】実開平２−７８６８２号公報
【特許文献３】実開平６−６０６８４号公報
【発明の概要】
【発明が解決しようとする課題】
【０００８】
しかしながら、上述した特許文献１に記載されている従来の小便器では、排水トラップの下流側と小便器外部の排水配管の上流側とを接続する接続管路に供給口とこの供給口に洗浄水を直接的に供給するための供給管を設けなければならないため、供給管が増える分だけ、小便器の配管構造が複雑になるという問題がある。
また、特許文献２に記載されている従来の小便器では、ボウル部の後方底面の貫通穴を閉鎖する栓に尿が当たることで尿が飛散し、ボウル部の外部へと飛び出す可能性や、使用者に飛んで使用者に不快感を与える可能性があるという問題がある。
さらに、特許文献３に記載されている従来の小便器では、清掃用具が挿入可能な開口及びトラップ流入部を覆う目皿部は、トラップ流入部のみを覆うような目皿部と比較して前後方向に大きくなる。そのため、尿が目皿部に当たって飛散しやすく、ボウル部の外部へと飛び出す可能性や、使用者に飛んで使用者に不快感を与える可能性があるという問題がある。
【０００９】
本発明は、上述した問題を解決するためになされたものであり、小便器を取り外すことなく、排水トラップ部の下流側の排水路を簡単且つ確実に掃除することができるとともに、尿が飛散することを抑制することが可能な小便器を提供することを目的とする。
【課題を解決するための手段】
【００１０】
本発明は、排尿を受けるボウル面を形成するボウル部と、このボウル部の下方に形成され、上記ボウル部の底部に設けられた排水口よりも下流側に封水を形成する排水トラップ部と、この排水トラップ部の後方側に形成され、上記ボウル面を洗浄して上記排水トラップ部から排出された洗浄水を小便器外部の排出部側へ排出させる排水室部と、を有し、上記排水室部は、その一部が上記排水トラップ部と上記小便器外部の排出部とを接続する通路を形成する接続通路部と、上記ボウル部内の下方領域と上記排水室部内とを区画するボウル側壁部と、を備え、このボウル側壁部には、上記ボウル部内の下方領域と上記排水室部内とを連通し且つ着脱可能な蓋により閉塞される掃除口が形成され、上記排水口、上記掃除口及びこの掃除口に取り付けられた上記蓋を覆うように上記ボウル部の下方領域に配置される目皿を有する小便器であって、上記目皿は、前後方向に延びる頂上部と、上記頂上部から左方向下方に延びる第一洗浄面部と、上記頂上部から右方向下方に延びる第二洗浄面部と、を備える小便器である。
【００１１】
このように構成された本発明においては、掃除口及び掃除口に取り付けられた蓋が目皿により覆われているため、蓋に尿が当たって使用者に向かって飛散することが抑制される。さらに、左右方向下方に延びる第一洗浄面部及び第二洗浄面部により、目皿に当たった尿が左右方向に跳ねやすいため、目皿に当たった尿が使用者に向かって飛散することが抑制される。
【００１２】
本発明は、さらに、上記目皿の上記第一洗浄面部及び上記第二洗浄面部は、左右方向の断面において下方に向けて凹むアール形状としてもよい。
【００１３】
このように構成された本発明においては、第一洗浄面部及び第二洗浄面部は左右方向の断面において下方に向けて凹むアール形状であるため、目皿に当たった尿が左右方向により跳ねやすく、目皿に当たった尿が使用者に向かって飛散することがさらに抑制される。
【００１４】
本発明は、さらに、上記目皿の上記第一洗浄面部及び上記第二洗浄面部は、下方に向けて突出する突出部を夫々備え、上記第一洗浄面部の上記突出部と上記第二洗浄面部の上記突出部との間に上記蓋の上部が位置し、且つ、前後方向の断面において上記各突出部と上記蓋の上部とが少なくとも一部重なる構成としてもよい。
【００１５】
このように構成された本発明においては、第一洗浄面部の突出部と第二洗浄面部の突出部との間に蓋の上部が位置し、且つ、前後方向の断面において各突出部と蓋の上部とが少なくとも一部重なるため、目皿の表面を清掃する際等に、目皿が傾いても、突出部と蓋の上部とが接触することで、目皿の回転を抑制することができる。
【発明の効果】
【００１６】
本発明の小便器によれば、小便器を取り外すことなく、排水トラップ部の下流側の排水路を簡単且つ確実に掃除することができるとともに、尿が飛散することを抑制することが可能となる。
【図面の簡単な説明】
【００１７】
【図１】本発明の一実施形態による小便器の断面図。
【図２】図１の部分拡大図。
【図３】（ａ）本発明の一実施形態による小便器の目皿の上面図。（ｂ）本発明の一実施形態による小便器の目皿の側面図。
【図４】（ａ）図３（ａ）のＡ−Ａ断面図。（ｂ）図３（ａ）のＢ−Ｂ断面図。（ｂ）図３（ａ）のＣ−Ｃ断面図。
【図５】（ａ）本発明の一実施形態による小便器の目皿と蓋と左右方向の位置関係を示す模式図。（ｂ）（ａ）に対して目皿が傾いた状態を示す模式図。
【発明を実施するための形態】
【００１８】
以下、図１〜図５を参照して、本発明の一実施形態による小便器について説明する。
図１は本発明の一実施形態による小便器の断面図であり、図２は図１の部分拡大図である。また、図３（ａ）は本発明の一実施形態による小便器の目皿の上面図であり、図３（ｂ）は本発明の一実施形態による小便器の目皿の側面図であり、図４（ａ）は図３（ａ）のＡ−Ａ断面図であり、図４（ｂ）は図３（ａ）のＢ−Ｂ断面図であり、図４（ｃ）は図３（ａ）のＣ−Ｃ断面図である。図５（ａ）は本発明の一実施形態による小便器の目皿と蓋と左右方向の位置関係を示す模式図であり、図５（ｂ）は図５（ａ）に対して目皿が傾いた状態を示す模式図である。
【００１９】
図１及び図２に示すように、本発明の一実施形態による小便器１は、トイレ空間の床又は壁に設置される便器本体２を備えている。この便器本体２は、その正面側にボウル状に形成されたボウル部４を備えており、このボウル部４の表面は、使用者の排尿を受ける滑らかなボウル面４ａを形成している。
【００２０】
便器本体２のボウル面４ａの上方領域には、ボウル面４ａを洗浄する洗浄水を吐水する吐水装置６が設けられており、この吐水装置６の背面側には、洗浄水を供給する給水管６ａが接続されている。
さらに、便器本体２のボウル部４内の下方領域Ｒ１の底部には、下側に凹むように形成される凹部３４が設けられており、この凹部３４内に目皿１００が上方から凹部３４内に着脱可能に取り付けられるようになっている。また、凹部３４の底面には、ボウル面４ａを洗浄した洗浄水が排水される排水口８が形成されている。
【００２１】
つぎに、図２に示すように、便器本体２の排水口８から下方には、排水トラップ１０が形成されている。この排水トラップ１０は、排水口８から下方に延びる下降管路１２と、この下降管路１２の下端から連続して、折り返して上方に延びる上昇管路１４とを備えている。
また、排水トラップ１０内には、下水からの臭気等が便器本体２のボウル面４ａやその周囲のトイレ空間内へ侵入することを防ぐために、洗浄水が溜まっており、この洗浄水により封水されている。すなわち、排水トラップ１０内には、ボウル部４の底部に設けられた排水口８よりも下方（下流側）に封水が形成されている。より詳細には、排水トラップ１０においては、下降管路１２と上昇管路１４との連続部分、すなわち、排水トラップ１０の折り返し部分に洗浄水が溜まることにより、封水が形成されるようになっている。
【００２２】
図２に示すように、便器本体２の排水トラップ１０の上昇管路１４の後方側（下流側）には、ボウル面４ａを洗浄して排水口８から排水トラップ１０の下降管路１２に流れ込んで上昇管路１４から排出された洗浄水（排水）を便器本体２の背面外側の排水配管（図示せず）側へ排出させる排水室１８（排水室部）が形成されている。さらに、図３に示すように、排水室１８は、上方且つボウル部４側に形成される前側壁部２２を備え、この前側壁部２２は、ボウル部４内の下方領域Ｒ１と排水室１８の内部領域Ｒ２とを区画している。
【００２３】
次に、図２に示すように、排水室１８の接続通路部２０は、その前端部２０ａが排水トラップ１０の上昇管路１４の後端部１４ａ（下流側端部）と接続される接続部となり、排水トラップ１０の上昇管路１４から排水室１８の接続通路部２０に亘って連続的に形成されている。
また、図２に示すように、排水室１８の接続通路部２０は、その前端部２０ａから後方側に向かってほぼ水平方向に延びている。そして、排水室１８の接続通路部２０は、便器本体２の背面側の後端部（下流側端部）において、ほぼ円筒状の排水配管（図示せず）の前端部と接続される接続口２４を形成している。
さらに、排水配管（図示せず）は、排水室１８の接続通路部２０から排出された洗浄水を排出するために、上流側から下流側にかけて緩やかに下り傾斜しながら、ほぼ水平に下水管（図示せず）に向かって延びている。
なお、本実施形態では、排水室１８の接続通路部２０については、排水トラップ１０の上昇管路１４に一体的に形成されている形態について説明するが、樹脂等を用いて排水トラップ１０と別体に形成されてもよい。
【００２４】
次に、図２に示すように、ボウル部４内の下方領域Ｒ１と排水室１８の内部領域Ｒ２とを区画している排水室１８の前側壁部２２には、ブラシ等の掃除用具が挿入可能な掃除口２６が形成されている。掃除口２６の開口断面は、ほぼ円形断面となっており、この掃除口２６に蓋２８がボウル部４側から着脱可能に取り付けられることにより、掃除口２６が閉塞されるようになっている。
さらに、蓋２８には、シール部材３０が設けられており、排水室１８の内部領域Ｒ２内の臭気が掃除口２６からボウル部４の下方領域Ｒ１内に侵入しないように、掃除口２６と蓋２８とがシール部材３０によって隙間なく完全に密閉されるようになっている。
なお、掃除口２６の開口断面の形状については、円形形状に限定されることなく、例えば、楕円形状や多角形状等であってもよく、蓋２８の横断面形状についても、掃除口２６の断面形状に応じて、この断面形状に一致させるように適宜変更可能である。
【００２５】
また、図２に示すように、ボウル面４ａの縦断面は、上方領域から下方領域に向かって全体的にほぼＪ字形のフック形状を形成している。また、排水口８は、ボウル面４ａ内の最低位置に形成されている。
さらに、図２に示すように、掃除口２６は、排水口８よりも上方に位置しており、排水口８の後方側の近傍に形成されるボウル面４ａの下方領域の斜面に対して垂直な中心軸線Ａ１に沿って貫くように形成されている。
一方、蓋２８が掃除口２６から取り外された状態では、図２に示すように、掃除口２６の開口断面を中心軸線Ａ１に沿って接続通路部２０に向けて投影した投影面が、接続口２４の前側付近における排水室１８の接続通路部２０の底面から接続口２４の後側付近における排水配管（図示せず）の内面にかけて、すなわち、接続口２４に対して前後方向の所定領域に形成されている。これにより、掃除口２６の中心軸線Ａ１に沿った上方から見て、接続口２４の前側付近における排水室１８の接続通路部２０の底面２０ｃから接続口２４の後側付近における排水配管（図示せず）の内面にかけての投影面に相当する領域が目視可能となっている。
これにより、蓋２８を取り外した状態で、人が小便器１の真正面に立つと、接続口２４と排水配管（図示せず）の接続部付近が目視することができ、掃除の際に尿石が除去できたかどうかを確認しながら、掃除口２６に掃除具（図示せず）を挿入することにより、清掃作業が可能となっている。
特に、尿石の溜まりやすい接続通路部２０の底面、排水配管（図示せず）、及び接続口２４における接続通路部２０の後端部と排水配管（図示せず）の前端部とで生じる段差付近の尿石について、掃除口２６から挿入した掃除具（図示せず）で確実に除去することができるようになっている。
【００２６】
次に、図３（ａ）及び（ｂ）に示すように、目皿１００は、上方から見て概ね楕円形状に形成されている。また、図３（ａ）、（ｂ）及び図４に示すように、目皿１００は前後方向に延びる頂上部１２０と、頂上部１２０から左方向下方に延びる第一洗浄面部１４０ａと、頂上部１２０から右方向下方に延びる第二洗浄面部１４０ｂとを備える。また、目皿１００の前端部には、底面から下方に向けて突出する当接部１６０が設けられている。
【００２７】
図３（ａ）、（ｂ）及び図４に示すように、頂上部１２０の前後方向の中央より前方寄りの位置に、使用者が目皿１００を着脱するための着脱操作部１２２が設けられている。着脱操作部１２２は頂上部１２０から上方に向けて突出しており、左右方向に貫通する貫通孔１２４が形成されている。使用者は貫通孔１２４にフック等を掛けることで使用者が目皿１００を引き上げ、清掃等のメンテナンスを行うことができるようになっている。
図４に示すように、第一洗浄面部１４０ａ及び第二洗浄面部１４０ｂは、左右方向の断面において前端から後端に亘って下方に向けて凹むアール形状である。また、第一洗浄面部１４０ａ及び第二洗浄面部１４０ｂには夫々の底面から下方に向けて突出する突出部１４２ａ、１４２ｂが設けられている。突出部１４２ａ、１４２ｂは頂上部１２０を挟んで対称に設けられ、その間に蓋２８の上部が位置する。
【００２８】
図２に示すように目皿１００が凹部３４内に取り付けられた状態では、当接部１６０及び後側の外周縁の一部と凹部３４上縁部とが当接し、排水口８、掃除口２６、及びこの掃除口２６に取り付けられた蓋２８のすべてについて目皿１００により隠蔽することができるようになっているが、目皿１００の外縁部と凹部３４の上縁部との間には、ほぼ全周に亘って隙間が形成されている。また、凹部３４の底面と目皿１００の底面との間には空間が形成される。
これにより、ボウル部４内に排出された尿や吐水装置６から吐水された洗浄水は、ボウル部４のボウル面４ａに沿って流下し、目皿１００の外縁部と凹部３４の上縁部との間の隙間から凹部３４の底面と目皿１００の底面との間の空間内に流入し、その後、排水口８から排水トラップ１０の下降管路１２内に流れ込むようになっている。
【００２９】
図５（ａ）に示すように、突出部１４２ａ、１４２ｂは、目皿１００を凹部３４に取り付けた状態で、突出部１４２ａと突出部１４２ｂとの間に蓋２８の上部が位置するように設けられる。また、図２に示すように前後方向の断面において突出部１４２ａ、１４２ｂと蓋２８の上部とが一部重なっている。なお、本実施形態においては、突出部は第一洗浄面部及び第二洗浄面部に夫々１つずつ設けられているが、本発明はこのような実施形態に限られるものではなく、例えば、第一洗浄面部及び第二洗浄面部に夫々複数設けられてもよいし、第一洗浄面部及び第二洗浄面部のいずれか一方に１つ、他方に複数設けられてもよい。
【００３０】
つぎに、図１〜図５を参照して、本発明の一実施形態による小便器の作用について説明する。
小便器１は、使用者がボウル部４内に排尿した後、吐水装置６が給水管６ａから供給された洗浄水をボウル面４ａに吐水する。この吐水装置６から吐水された洗浄水は、ボウル面４ａを上方から下方の排水口８に向かって洗浄しながら流れる。そして、排水口８から排水トラップ１０の下降管路１２内に流入した洗浄水は、排水トラップ１０に溜まった尿を下流の上昇管路１４へ押し出し、この上昇管路１４から排水室１８内に流出した洗浄水が、接続通路部２０を下流側に流れ、接続口２４から尿を排水配管（図示せず）内へ排水する。
【００３１】
なお、上述した本発明の一実施形態による小便器１については、吐水装置６から吐水される洗浄水を用いてボウル面４ａを洗浄する形態について説明してきたが、吐水装置６を設けずに、ボウル面４ａを洗浄するための洗浄水を用いない無水小便器の形態についても適用可能である。
【００３２】
次に、本発明の一実施形態による小便器１の排水トラップ１０よりも下流側の接続通路部２０と排水配管（図示せず）における清掃方法について説明する。
まず、清掃者は、掃除口２６に取り付けられた状態の蓋２８を取り外し、開放された掃除口２６に掃除用具である高圧洗浄水のノズル（図示せず）を挿入し、ノズル（図示せず）の先端から高圧の洗浄水を噴出させる。
そして、高圧の洗浄水によって接続通路部２０や排水配管（図示せず）に付着した尿石を除去し、下流側に押し出し、清掃する。
また、高圧洗浄水のノズル（図示せず）を用いる代わりに、開放された掃除口２６から薬剤を投入し、尿石を溶解させてもよい。さらに、尿石を摩滅させるための回転砥石状の工具を通したりすることによって、尿石を摩滅させても良い。
このように掃除口２６から蓋２８を取り外して高圧洗浄水のノズル（図示せず）を挿入したり、薬剤を投入したりするだけで、接続通路部２０や排水配管（図示せず）を簡単且つ確実に清掃することができるので、小便器１を排水配管（図示せず）から取り外すことなく、排水トラップ１０より下流の接続通路部２０の清掃をすることができ、短時間で清掃作業を完了することができる。
したがって、高速道路の休憩所等の利用者が多い公衆トイレ空間においても、従来よりも短時間で清掃を行うことができるため、小便器１の清掃のために、利用者が小便器１を使用することができない時間を短く抑えることが可能となる。
【００３３】
上述した本発明の一実施形態による小便器１によれば、掃除口２６及び掃除口２６に取り付けられた蓋２８が目皿１００により覆われているため、蓋２８に尿が当たって使用者に向かって飛散することが抑制される。さらに、左右方向下方に延びる第一洗浄面部１４０ａ及び第二洗浄面部１４０ｂにより、目皿１００に当たった尿が左右方向に跳ねやすいため、目皿１００に当たった尿が使用者に向かって飛散することが抑制される。また、左右方向下方に延びる第一洗浄面部１４０ａ及び第二洗浄面部１４０ｂにより洗浄水が左右方向下方に案内されるため、目皿１００の上面に洗浄水が残留することが抑制される。
【００３４】
さらに、本実施形態による小便器１によれば、第一洗浄面部１４０ａ及び第二洗浄面部１４０ｂは左右方向の断面において下方に向けて凹むアール形状であるため、目皿１００に当たった尿が左右方向により跳ねやすく、目皿１００に当たった尿が使用者に向かって飛散することがさらに抑制される。
【００３５】
さらに、本実施形態による小便器１によれば、第一洗浄面部１４０ａの突出部１４２ａと第二洗浄面部１４０ｂの突出部１４２ｂとの間に蓋２８の上部が位置し、且つ、前後方向の断面において各突出部１４２ａ、１４２ｂと蓋２８の上部とが少なくとも一部重なる。そのため、清掃の際等に目皿１００が傾いて、通常、図５（ａ）に示すように、左右方向の位置が一致している目皿１００の左右方向における中心軸線Ｂ１と蓋２８の左右方向における中心軸線Ｃ１とが、図５（ｂ）に示すように一致しない状態となっても、突出部１４２ａ、１４２ｂと蓋２８の上部とが接触する。従って、目皿１００が回転することが抑制され、目皿１００が外れてしまう等の状態を抑制することができる。
【符号の説明】
【００３６】
１  小便器
２  便器本体
４  ボウル部
４ａ  ボウル部のボウル面
６  吐水装置
６ａ  給水管
８  排水口
１０  排水トラップ（排水トラップ部）
１２  下降管路（下降管路部）
１４  上昇管路（上昇管路部）
１４ａ  上昇管路の後端部
１８  排水室（排水室部）
２０  排水室の接続通路部
２０ａ  接続通路部の前端部
２２  排水室の前側壁部（ボウル側壁部）
２４  接続口
２６  掃除口
２８  蓋
３０  シール部材
３４  凹部
１００  目皿
１２０  頂上部
１２２  着脱操作部
１２４  貫通孔
１４０ａ  第一洗浄面部
１４０ｂ  第二洗浄面部
１４２ａ  突出部
１４２ｂ  突出部
１６０  当接部
Ａ１  掃除口の開口断面の中心軸線
Ｂ１  目皿の左右方向における中心軸線
Ｃ１  蓋の左右方向における中心軸線
【図１】
0006455800.tif 000002
【図２】
0006455800.tif 000003
【図３】
0006455800.tif 000004
【図４】
0006455800.tif 000005
【図５】
0006455800.tif 000006